(57)【要約】【課題】  Ｌ型受け素子とその関連部品とにより、ガラス板がフレームに緊密に固定され、ガラス板の振動を吸収し、製品の安全性が向上する組合せ式棚用固定装置を提供する。【解決手段】  一つのＬ型受け素子１０と、軟性パッド付きネジ２０と、ネジ３０とを含む組合せ式棚用固定装置において、前記Ｌ型受け素子１０は、水平面にはネジ穴１１が設けてあり、鉛直面には貫通孔１２が設けてあり、前記軟性パッド付きネジ２０は、Ｌ型受け素子１０にあるネジ穴１１にねじ込まれ、前記ネジ３０は、Ｌ型受け素子１０にある貫通孔を挿通する。【選択図】    図２
0003110181.tif 000002
【実用新案登録請求の範囲】
【請求項１】
一つのＬ型受け素子と、軟性パッド付きネジと、ネジとを備える組合せ式棚用固定装置において、
前記Ｌ型受け素子は、水平面にはネジ穴が設けてあり、鉛直面には貫通孔が設けてあり、
前記軟性パッド付きネジは、Ｌ型受け素子にあるネジ穴にねじ込まれ、
前記ネジは、Ｌ型受け素子にある貫通孔を挿通することを特徴とする組合せ式棚用固定装置。
【請求項２】
前記軟性パッド付きネジの他端には、一つの保護パッドが設置されることを特徴とする請求項１に記載の組合せ式棚用固定装置。
【請求項３】
フレームには、前記Ｌ型受け素子にある鉛直面を嵌め込むことにより鉛直面がフレームの表面から突出しないようになる溝が設けてあることを特徴とする、求項１に記載の組合せ式棚用固定装置。
【請求項４】
前記Ｌ型受け素子にある水平面のネジ穴には軟性パッド付きネジがねじ込まれたことにより、ガラス板を昇降し支持することを特徴とする請求項１に記載の組合せ式棚用固定装置。
【請求項５】
前記Ｌ型受け素子にある水平面のネジ穴の数量は、必要によって増加してもいいことを特徴とする請求項１に記載の組合せ式棚用固定装置。
【請求項６】
前記軟性パッド付きネジの上面の面積は、前記Ｌ型受け素子にある水平面の面積と同様であってもいいことを特徴とする請求項１に記載の組合せ式棚用固定装置。
【考案の詳細な説明】
【技術分野】
【０００１】
本考案は組合せ式棚用固定装置に係り、特に、棚のフレームに取付けられ、ガラス板をスライドしないように支持し、ガラス板の振動を吸収できる組合せ式棚用固定装置に関するものである。
【背景技術】
【０００２】
目下、市販している組合せ式棚は多様にあり、それらは、フレームに取付けられた物置板によって水晶や洋酒などの品物を放置し、使用者の個人の好みを反映する。したがって、組合せ式棚にある物置板をガラス板に換えると、製品の綺麗さがもっと向上し、室内空間の明るさが向上し、製品の付加価値も向上し、販売の利益が増加する。
【考案の開示】
【考案が解決しようとする課題】
【０００３】
しかしながら、一般の市販している組合せ式棚は、ガラス板をフレームにある係り溝内に嵌め込むだけであり、前記係り溝には滑り止め機構が付いてなく、且つ係り溝に挿し込まれたガラス板の深さが浅い（フレームの厚さがあまり厚くなく）ので、ガラス板の受ける重量が係り溝に挿し込まれた部分だけに集中する。これは、次のような欠点がある。
（イ）ガラス板の受ける重量が両側に集中するので、振動する場合には、ガラス板が断裂し易い。
（ロ）フレームにある係り溝内には滑り止め機構がないので、ガラス板がフレームから離脱して脱落し易い。
本考案の主な目的は、Ｌ型受け素子とその関連部品とにより、ガラス板がフレームに緊密に固定され、ガラス板の振動を吸収し、且つ製品の安全性が向上する組合せ式棚用固定装置を提供する。
【課題を解決するための手段】
【０００４】
上記目的を達成するためになされた本考案は、一つのＬ型受け素子と、軟性パッド付きネジと、ネジとを含む組合せ式棚用固定装置において、前記Ｌ型受け素子は、水平面にはネジ穴が設けてあり、鉛直面には貫通孔が設けてあり、前記軟性パッド付きネジは、Ｌ型受け素子にあるネジ穴にねじ込まれ、前記ネジは、Ｌ型受け素子にある貫通孔を挿通することを特徴とする組合せ式棚用固定装置である。
【０００５】
本考案では、前記軟性パッド付きネジの他端には、一つの保護パッドを付けてもよい。
本考案では、フレームには、前記Ｌ型受け素子にある鉛直面を嵌め込むことにより鉛直面がフレームの表面から突出しないようになる溝が設けてもよい。
本考案では、前記Ｌ型受け素子にある水平面のネジ穴には軟性パッド付きネジがねじ込まれたことにより、ガラス板を昇降し支持してもよい。
本考案では、前記Ｌ型受け素子にある水平面のネジ穴の数量は必要によって増加してもよい。
本考案では、前記軟性パッド付きネジの上面の面積は、前記Ｌ型受け素子にある水平面の面積と同様であってもよい。
【０００６】
本考案に係る組合せ式棚用固定装置によれば、次のような効果がある。
（イ）Ｌ型受け素子にある水平面により、フレームのガラス板を支持する箇所の面積が拡大し、ガラス板の受ける重量が分散する。
（ロ）軟性パッド付きネジの軟性パッドは、ガラス板に対する振動吸収効果および滑止め効果を発揮する。
（ハ）軟性パッドを介してガラスを支持するので、Ｌ型受け素子にある水平面がガラス板を傷付けない。
【考案を実施するための最良の形態】
【０００７】
以下、添付図面を参照して本考案の好適な実施の形態を詳細に説明する。
まず、図１を参照する。市販しているフレーム４０の係り溝４１をもっと深くすることなく、ガラス板５０を物置板として採用し、放置された品物の重量がガラス板５０の両側に集中し、取付けられたガラス板５０の厚さがフレーム４０にある係り溝４１の幅よりも小さい場合には、図２に示すように、フレーム４０にある係り溝４１にガラス板５０を嵌め込むことは容易になるが、脱落することも容易になる。
【０００８】
したがって、本実施例は、Ｌ型受け素子１０にある水平面により、ガラス板５０の重量を受ける面積を拡大し、ガラス板５０の重量を受ける箇所を分散し、また、ネジ２０にある軟性パッド２１でガラス板５０を支持することにより、ガラス板５０のスライドを防止でき、さらに、軟性パッドを介してガラスを支持するので、Ｌ型受け素子にある水平面がガラス板を傷付けることなく、ガラス板５０の振動を吸収する効果もある。
【０００９】
次に、図２を参照する。図２は本実施例の組み合わせ状態を示す断面図である。本実施例に係る組合せ式棚用固定装置は、一つのＬ型受け素子１０と、軟性パッド付きネジ２０と、ネジ３０とを含む。前記Ｌ型受け素子１０は、水平面にはネジ穴１１が設けてあり、鉛直面には貫通孔１２が設けてあり、前記軟性パッド付きネジ２０はＬ型受け素子１０にあるネジ穴１１にねじ込まれ、前記ネジ３０はＬ型受け素子１０にある貫通孔１２を挿通する。
【００１０】
前記軟性パッド付きネジ２０の他端には、一つの保護パッド２２を付けてもよく、前記保護パッド２２により、下方に設置された品物がガラス板５０で前記軟性パッド付きネジ２０に傷つけられることなく、品物を取り出す又は放置する使用者にとって安全になる。前記軟性パッド付きネジ２０は、その軟性パッド２１の面積はＬ型受け素子１０にある水平面と同様であってもよく、これにより、滑り止め効果および重量分散効果が増大する。また、フレーム４０には、前記Ｌ型受け素子１０にある鉛直面を嵌め込むことにより鉛直面がフレーム４０の表面から突出しないようになる溝（図示せず）を設けてもよい。
【００１１】
前記Ｌ型受け素子１０にある水平面のネジ穴１１には軟性パッド付きネジ２０がねじ込まれたことにより、ガラス板５０の昇降を支持することができ、ガラス板５０に対する振動吸収効果および滑り止め効果を発揮する。なお、前記Ｌ型受け素子１０にある水平面のネジ穴１１の数量は必要によって増加してもよく、これにより、軟性パッド付きネジ２０を複数に設けることができる。
【００１２】
次に、図３を参照する。図３は本実施例に係る組合せ式棚用固定装置をフレームに組み合わせる前の状態を示す概略図である。フレーム４０にある定位孔４２に、前記Ｌ型受け素子１０にある鉛直面の貫通孔１２を締結すると、物置板を設置することができる。
また、図４を参照する。図４は本実施例に係る組合せ式棚用固定装置をフレームに組み合わせた後にガラス板と軟性パッド付きネジとを取付ける状態を示す概略図である。フレーム４０にある係り溝４１にガラス板５０を取付けて、軟性パッド付きネジ２０をねじ込む。
最後に、図５を参照する。図５は本実施例の組み合わせ状態を示す概略図である。本実施例に係る組合せ物置棚は、ガラス板５０がスライドし難しくなり、且つガラス板５０の振動が吸収される。
【図面の簡単な説明】
【００１３】
【図１】本考案の一実施例に係る組合せ式棚用固定装置の分解斜視図である。
【図２】本考案の一実施例に係る組合せ式棚用固定装置の組み合わせ状態を示す断面図である。
【図３】本考案の一実施例に係る組合せ式棚用固定装置をフレームに組み合わせる前の状態を示す概略図である。
【図４】本考案の一実施例に係る組合せ式棚用固定装置をフレームに組み合わせた後の状態を示す概略図である。
【図５】本考案の一実施例に係る組合せ式棚用固定装置の組み合わせ状態を示す概略図である。
【符号の説明】
【００１４】
１０  Ｌ型受け素子、１１  ネジ穴、１２  貫通孔、１１１  螺旋、２０  ネジ、２１  軟性パッド、２２  保護パッド、２３  螺旋、３０  ネジ、４０  フレーム、４１  係り溝、４２  定位孔、５０  ガラス板
【図１】
0003110181.tif 000003
【図２】
0003110181.tif 000004
【図３】
0003110181.tif 000005
【図４】
0003110181.tif 000006
【図５】
0003110181.tif 000007